(57)【要約】【課題】音響管を用いることなく無指向性成分を得ることにより、小型で、高感度の単一指向性リボンマイクロホンおよびリボンマイクロホンの単一指向性変換器を得る。【解決手段】リボンマイクロホンユニット１と、リボンマイクロホンユニット１の後部音響端子が装着される音響箱２８と、音響箱２８に装着されリボンマイクロホンユニット１の後部音響端子に導かれる音波と同じ音波を検出する検出用マイクロホン２５と、音響箱２８に組み込まれていて振動板が駆動されることにより音響箱２８内の圧力を変化させることができるスピーカ２７と、検出用マイクロホン２５の検出信号に応じ後部音響端子に音波が導かれることによる音響箱２８内の圧力変化を打ち消すようにスピーカ２７を駆動する駆動部２６と、を備えている。【選択図】図１
2015005861.tif 000002
【特許請求の範囲】
【請求項１】
リボンマイクロホンユニットと、
上記リボンマイクロホンユニットの後部音響端子が装着される音響箱と、
上記音響箱に装着され上記リボンマイクロホンユニットの後部音響端子に導かれる音波と同じ音波を検出する検出用マイクロホンと、
上記音響箱に組み込まれていて振動板が駆動されることにより上記音響箱内の圧力を変化させることができるスピーカと、
上記検出用マイクロホンの検出信号に応じ上記後部音響端子に音波が導かれることによる上記音響箱内の圧力変化を打ち消すように上記スピーカを駆動する駆動部と、
を備えているリボンマイクロホン。
【請求項２】
リボンマイクロホンユニットは、磁石およびリボン形振動板を支持するフレームの前後両面にリボン形振動板を有していて、一方のリボン形振動板側が後部音響端子として音響箱に装着されている請求項１記載のリボンマイクロホン。
【請求項３】
駆動部は、音響箱内の圧力変化を打ち消すレベルを調整することにより指向性を調整可能である請求項１または２記載のリボンマイクロホン。
【請求項４】
音響箱と、
上記音響箱に形成されているバッフル板と、
上記バッフル板に取り付けられているスピーカと、
上記音響箱に形成されているリボンマイクロホンユニット取付け部と、
上記音響箱の上記リボンマイクロホンユニット取付け部と上記バッフル板との間に形成されている空気室と、
上記空気室に装着され上記リボンマイクロホンユニットの後部音響端子に導かれる音波と同じ音波を検出する検出用マイクロホンと、
上記検出用マイクロホンの検出信号に応じ上記後部音響端子に音波が導かれることによる上記空気室内の圧力変化を打ち消すように上記スピーカを駆動する駆動部と、
を備えているリボンマイクロホンの単一指向性変換器。
【請求項５】
リボンマイクロホンユニット取付け部には音響抵抗材が取り付けられていて、検出用マイクロホンはこの音響抵抗材を経た音波を検出する請求項４記載のリボンマイクロホンの単一指向性変換器。
【請求項６】
スピーカはダイナミック型スピーカであって、振動板としてコーン型振動板を有している請求項４または５記載のリボンマイクロホンの単一指向性変換器。
【請求項７】
駆動部は、音響箱内の圧力変化を打ち消すレベルを調整することにより指向性を調整可能である請求項４，５または６記載のリボンマイクロホンの単一指向性変換器。
【発明の詳細な説明】
【技術分野】
【０００１】
本発明は、単一指向性が得られるように構成を工夫したリボンマイクロホンおよびその単一指向性変換器に関するものである。
【背景技術】
【０００２】
リボンマイクロホンは、主要な構成部品として、磁界を形成する磁石と、磁界内に配置され音波を受けて振動するリボン形振動板を有してなる。上記磁石は、リボン形振動板を挟みリボン形振動板の両側に配置されて磁性材からなるフレームに支持され、両側の磁石間に磁界が形成される。リボン形振動板は、適度の張力が与えられた状態で長さ方向両端部が固定されている。リボン形振動板が音波を受けて磁界内で振動することにより、リボン形振動板は音波に応じた電気信号を生成する。リボン形振動板の素材は、一般に、導電性が良好で比重の軽いアルミニウム箔が用いられている。リボンマイクロホンに関しては、特許文献１、特許文献２などに記載されている。
【０００３】
リボンマイクロホンは、音波の粒子速度すなわち音圧により空気分子が前後に動く速度に比例した信号を出力する。したがって、リボンマイクロホンによれば双指向性を得ることが容易であり、一般に、双指向性マイクロホンとして利用される。楽音の集音のためにあるいは拡声のためにマイクロホンを用いる場合、指向性は単一指向性であることが、使いやすさの面で望ましい。上記のような用途でリボンマイクロホンを用いる場合も、その指向性が単一指向性であれば好都合である。
【０００４】
もともと双指向性のリボンマイクロホンを単一指向性にするには、リボンマイクロホンの双指向性成分に無指向性成分を組み合わせることによって実現することができる。振動板を駆動する無指向性成分は、振動板を境にして、音波が入り込まない空気室と外側との音圧差によって得ることができる。したがって、振動板の背面側を、密閉された空気室に面して配置すればよい。
【０００５】
そして、無指向性成分と双指向性成分を合成するには、上記のように振動板の背面側に小さな空気室を設け、この空気室の入口に音響抵抗を配置して無指向性成分を与え、さらに、後部音響端子から速度成分を取り込むように構成する。後部音響端子から入り込んだ音波は、後部音響端子の音響質量と空気室の入口に設けた音響抵抗で分割され、振動板の背面側に導かれる。上記空気室は、これを上記音響抵抗として機能させるために必要となる。リボンマイクロホンでは、振動板の背面側に音響管を設け、この音響管を上記空気室として機能させている。
【０００６】
しかし、リボンマイクロホンに用いられるリボン形振動板は、ダイナミックマイクロホンの振動板に比べると質量が小さく、機械インピーダンスが低い。このため、リボンマイクロホンでは、低い周波数域まで音響抵抗を有効に動作させる必要があり、そのために、綿などからなる音響抵抗を詰めた音響管が振動板の背面側に設けられる。
【０００７】
リボンマイクロホンに用いる上記音響管の例が非特許文献１に記載されている。音響管の一端側は、ここにリボンマイクロホンユニットの一端側を装着できるように、長方形状に開放している。この音響管の解放端の寸法はリボンマイクロホンの仕様に対応し、例えば幅２ｍｍ、長さ２０ｍｍのリボン形振動板を備えているとすれば、それに対応した長方形状の解放端になっている。音響管は、解放端から長さ方向に徐々に径を小さくかつ横断面形状円形となり、例えば内径７ｍｍ程度の管がかなり長く伸びている。音響管の中には綿などの音響抵抗材が詰め込まれる。音響管の後端は閉鎖されて振動板の背面側空間は密閉され、無指向性成分が得られるようになっている。音響管の一部には孔が開けられ、この孔の開閉度をシャッタで調整することにより指向性を調整できるようになっている。
【０００８】
上記リボンマイクロホンの寸法例は比較的小型である。感度を高めるためにはリボン形振動板の面積を大きくする必要があり、リボンマイクロホンユニットも大きくする必要がある。しかし、リボンマイクロホンユニットが大きくなると、それに応じて上記音響管も大きくかつ長くなる。例えば、幅５ｍｍ、長さ５０ｍｍのリボン形振動板を備えているとすれば、マイクロホンユニットを装着する音響管の開口端側の大きさは上記振動板を十分に包含できるだけの大きさが必要である。上記音響管の他端側の内径は１７．８ｍｍ程度のものが必要になる。仮に、音響管の全長は変わらないとすると、リボン形振動板の大きさが前記のように２×２０ｍｍから５×５０ｍｍになることによって、音響管の容積が約６．２５倍程度になり、大きな音響管が必要になる。
【０００９】
いずれにせよ、単一指向性のリボンマイクロホンを得るために音響管を用いると、嵩の大きい音響管によってマイクロホン全体の嵩が大きくなるとともに、音響管の長さも長くなり、音響管の処理に工夫を要する。非特許文献１には、円柱状の一定長さの素材に、いくつもの貫通孔を上記素材の長さ方向に平行に開け、各貫通孔の端部を順番にかつ直列に接続した音響管の例が記載されている。複数の貫通孔が直列接続されて形成された音響管の一端側にリボンマイクロホンユニットの一面側を装着する。
【００１０】
ここまで説明してきたように、単一指向性のリボンマイクロホンを得るために、従来は音響管を付加している。しかし、音響管を使用するとリボンマイクロホン全体が大型化する。大型化を避けようとして小型化すると、リボン形振動板も小型になり、振動板面積が小さくなって高い感度を得ることができなくなる。
【００１１】
音響管を用いることなくリボンマイクロホンの指向性から無指向性成分を得ることができるとすれば、小型で、高感度の単一性指向性リボンマイクロホンを実現することができるはずである。
【先行技術文献】
【特許文献】
【００１２】
【特許文献１】特開２００９-２００７６４号公報
【特許文献１】特開２０１１-１６００８０号公報
【非特許文献１】日本音響学会誌  第１８巻  第５号  第２７５−２８５ページ  溝口章夫著
【発明の概要】
【発明が解決しようとする課題】
【００１３】
本発明は、音響管を用いることなく無指向性成分を得ることにより、小型で、高感度の単一指向性リボンマイクロホンを得ることおよびリボンマイクロホンの単一指向性変換器を得ることを目的とする。
【課題を解決するための手段】
【００１４】
本発明に係るリボンマイクロホンは、
リボンマイクロホンユニットと、
上記リボンマイクロホンユニットの後部音響端子が装着される音響箱と、
上記音響箱に装着され上記リボンマイクロホンユニットの後部音響端子に導かれる音波と同じ音波を検出する検出用マイクロホンと、
上記音響箱に組み込まれていて振動板が駆動されることにより上記音響箱内の圧力を変化させることができるスピーカと、
上記検出用マイクロホンの検出信号に応じ上記後部音響端子に音波が導かれることによる上記音響箱内の圧力変化を打ち消すように上記スピーカを駆動する駆動部と、
を備えていることを最も主要な特徴とする。
【００１５】
本発明に係るリボンマイクロホンの単一指向性変換器は、
音響箱と、
上記音響箱に形成されているバッフル板と、
上記バッフル板に取り付けられているスピーカと、
上記音響箱に形成されているリボンマイクロホンユニット取付け部と、
上記音響箱の上記リボンマイクロホンユニット取付け部と上記バッフル板との間に形成されている空気室と、
上記空気室に装着され上記リボンマイクロホンユニットの後部音響端子に導かれる音波と同じ音波を検出する検出用マイクロホンと、
上記検出用マイクロホンの検出信号に応じ上記後部音響端子に音波が導かれることによる上記空気室内の圧力変化を打ち消すように上記スピーカを駆動する駆動部と、
を備えていることを特徴とする。
【発明の効果】
【００１６】
リボンマイクロホンユニットの後部音響端子に音波が導かれてくることによる音響箱内の圧力変化が、検出用マイクロホン、スピーカ、駆動部によって打ち消される。かかる動作は、リボンマイクロホンユニットの後部音響端子に前述の音響管を装着したのと同じであり、本発明によれば、音響管を装着しなくてもリボンマイクロホンに無指向性成分を持たせることができる。この無指向性成分と、リボンマイクロホンがもともと備えている双指向性成分とを組み合わせることにより、単一指向性を得ることができる。単一指向性を得るために、音響管を使用する必要がないから、小型で、高感度の単一性指向性リボンマイクロホンを得ることができる。
【図面の簡単な説明】
【００１７】
【図１】本発明に係るリボンマイクロホンの実施例を示す縦断面図である。
【図２】本発明に係るリボンマイクロホンの単一指向性変換器の実施例を示す縦断面図である。
【図３】本発明に用いることができるリボンマイクロホンユニットの例を示す正面図である。
【図４】本発明に係るリボンマイクロホンの実施例において双指向性が得られるように調整したときの指向特性を示すグラフである。
【図５】同じく双指向性が得られるように調整したときの周波数応答特性を示すグラフである。
【図６】本発明に係るリボンマイクロホンの実施例において単一指向性が得られるように調整したときの指向特性を示すグラフである。
【図７】同じく単一指向性が得られるように調整したときの周波数応答特性を示すグラフである。
【発明を実施するための形態】
【００１８】
以下、本発明に係るリボンマイクロホンおよびその単一指向性変換器の実施例について図面を参照しながら説明する。
【実施例】
【００１９】
[リボンマイクロホン]
図１は、本発明に係る単一指向性変換器の実施例にリボンマイクロホンユニットを組み合わせた、本発明に係るリボンマイクロホンの実施例を示す。図１において、符号１はリボンマイクロホンユニットを示している。リボンマイクロホンユニット１は、図３にも示すように、フレーム１１と、磁石１２と、リボン形振動板１３と、出力端子１４と、保護板１５を有してなる。
【００２０】
フレーム１１は、図面には表れていないが、長方形で窓枠形の部材で、磁性材からなる。フレーム１１の長手方向の相対向する両側枠内面にはそれぞれ、横断面四角形で棒状の磁石１２が対をなして固着されている。一対の磁石１２は同じ向きで幅方向に着磁され、一対の磁石１２間に均一な磁界が形成されている。この磁界を横切ってリボン形振動板１３が配置されている。
【００２１】
リボン形振動板１３は、フレーム１１の前面側と後面側にそれぞれ１枚ずつ対をなして配置されている。各リボン形振動板１３は、適宜の張力が与えられた状態で、長手方向両端部がフレーム１１の長手方向両端部に固定されている。ただし、各リボン形振動板１３はフレーム１１から絶縁されて適宜の押圧部材により押圧されフレーム１１に固定されている。各リボン形振動板１３は、それぞれフレーム１１の前後の面それぞれとほぼ同じ面に位置するとともに、上記磁界内に位置している。上記押圧部材には出力端子１４が固定され、これらの出力端子１４からリボンマイクロホンユニット１の出力信号を取り出すようになっている。
【００２２】
リボン形振動板１３は、音波を受けて振動すると磁界を横切り、音波に対応した電気信号すなわち音声信号を出力する。前面側のリボン形振動板１３の出力端子１４と後面側のリボン形振動板１３の出力端子１４との接続関係は任意で、直列接続でも並列接続でもよい。図１、図３に示すリボンマイクロホンユニット１の例では、リボン形振動板１３を保護する保護板１５が、上記ユニット１の前後両面に取り付けられている。各保護板１５は、非磁性で軽い素材例えばアルミニウムからなる。各保護板１５は、複数本の足によってフレーム１１の面から持ち上げられ、リボン形振動板１３から浮かされている。また、各保護板１５には、音波をリボン形振動板１３に導くために多数の丸孔１５１が形成されている。
【００２３】
[リボンマイクロホンの単一指向性変換器]
リボンマイクロホンユニット１は前後両側に音響端子を持っており、それ自体の指向性は双指向性である。リボンマイクロホンユニット１の前後音響端子の一方は単一指向性変換器２の所定の装着部に装着されている。図１、図２において、単一指向性変換器２は、その本体として直方体からなる音響箱２８を有する。音響箱２８は、内部空間を前後に二分するバッフル板２１を一体に有している。バッフル板２１の前側には第１空気室２２が、バッフル板２１の後側には第２空気室２３が形成されている。バッフル板２１には、第２空気室２３側からスピーカ２７が取り付けられ、スピーカ２７の振動板は、バッフル板２１に形成されている孔を通じて第１空気室２２に面している。
【００２４】
音響箱２８の前側の壁、より具体的には上記スピーカ２７の振動板が対向している音響箱２８の壁は、その大部分が切除されて窓孔２９が開けられている。窓孔２９は板状の音響抵抗材２４で覆われている。音響抵抗材２４が配置され窓孔２９が形成されている音響箱２８の前側の面がリボンマイクロホンユニット取付け部になっている。この取付け部に、リボンマイクロホンユニット１の前後の音響端子を構成する前後の保護板１５の一方が装着されている。以下、音響箱２８のリボンマイクロホンユニット取付け部に装着されている側の音響端子を後部音響端子とする。音響箱２８のリボンマイクロホンユニット取付け部は、装着されるリボンマイクロホンユニット１の後部音響端子の寸法、具体的には保護板１５の寸法に対応させた寸法になっている。
【００２５】
音響箱２８の第１空気室２２内には、リボンマイクロホンユニット１の後部音響端子に導かれる音波と同じ音波を検出する検出用マイクロホン２５が装着されている。検出用マイクロホン２５により電気音響変換され出力される音声信号は増幅器を主体とする駆動部２６に入力される。駆動部２６は、検出用マイクロホン２５からの検出信号に応じてスピーカ２７を駆動する。駆動部２６はスピーカ２７の駆動レベルを任意に調整可能である。スピーカの振動板は一般的にはコーン型であるが、平面型、ドーム型などであってもよい。
【００２６】
駆動部２６は、上記後部音響端子に導かれる音波によって第１空気室２２の圧力が高まると第２空気室の２２の圧力を下げ、第１空気室２２の圧力が低くなると第２空気室の２２の圧力を挙げるようにスピーカ２７を駆動する。すなわち、駆動部２６は、検出用マイクロホン２５の検出信号に応じ後部音響端子に音波が導かれることによる空気室内２２の圧力変化を打ち消すようにスピーカ２７を駆動する。検出用マイクロホン２５、駆動部２６、スピーカ２７からなる制御系統は、フィードバック型アクティブ・ノイズキャンセル装置と原理的には同じである。ちなみに、フィードフォワード型ノイズキャンセル装置は望ましくない。
【００２７】
いま、検出用マイクロホン２５の検出信号を無視し、後部音響端子に導かれる音波による音響箱２８内の圧力変化の打ち消し量をゼロとすると、リボンマイクロホンの指向性は図４に示すように双指向性になる。このときの周波数応答特性を図５に示す。この場合の各特性は、裸のリボンマイクロホンの特性と同じである。
【００２８】
図６は、単一指向性変換器２を最大限に作用させた場合の指向特性を示す。図６からもわかるように、単一指向性変換器２の作用によって、無指向性が得られ、この無指向性成分とリボンマイクロホン本来の双指向性とによってリボンマイクロホンの指向性が単一指向性に変換される。このときの周波数応答特性を図７に示す。
【００２９】
リボンマイクロホンが、図４に示すような双指向性になるか、図６に示すような単一指向性になるかは、駆動部２６によるスピーカ２７の駆動レベルによる。駆動部２６によるスピーカ２７の駆動レベルを連続的にまたは段階的に調整することにより、リボンマイクロホンの指向性を、双指向性から単一指向性まで任意に調整することができる。
【００３０】
以上説明した本発明に係るリボンマイクロホンおよびその単一指向性変換器の実施例によれば、従来のように、音響管を装着しなくてもリボンマイクロホンに無指向性成分を持たせることができる。この無指向性成分と、リボンマイクロホンがもともと備えている双指向性成分とを組み合わせることにより、単一指向性を得ることができる。単一指向性を得るために、音響管を使用する必要がないから、小型で、高感度の単一性指向性リボンマイクロホンを得ることができる。
【符号の説明】
【００３１】
１    リボンマイクロホンユニット
２    単一指向性変換器
１１    フレーム
１２    磁石
１３    リボン形振動板
１４    出力端子
１５    保護板
２１    バッフル板
２２    第１空気室
２３    第２空気室
２４    音響抵抗材
２５    検出用マイクロホン
２６    駆動部
２７    スピーカ
２８    音響箱
【図１】
2015005861.tif 000003
【図２】
2015005861.tif 000004
【図３】
2015005861.tif 000005
【図６】
2015005861.tif 000006
【図７】
2015005861.tif 000007
【図４】
2015005861.tif 000008
【図５】
2015005861.tif 000009